(57)【要約】【課題】高い防塵及び防水性を有しながら、ポータブルプリンタの出し入れ作業が容易であるキャリーケースを得る。【解決手段】ケース本体１０２は、柔軟性を有するシート状の正面部材１０２ａと一対の側面部材１０２ｃと背面部材１０２ｄとが連結された有底形状を有し、上面にポータブルプリンタを出し入れするための収納用開口１０３を有し、収納用開口１０３の上縁をポータブルプリンタの高さと一致させている。収納用開口１０３の防塵性及び防水性を維持するために、ケース蓋１０４の先端側裏面と背面部材の表面とを第１の面ファスナ対１１２によってシール可能とし、一対の側面部材１０２ｃの上縁に設けた内フラップ１１０の表面とケース蓋１０４の裏面とを第２の面ファスナ対１１３によってシール可能とすることに加えて、その部分を外フラップ１１１で覆うようにした。【選択図】図４
2010201744.tif 000002
【特許請求の範囲】
【請求項１】
排紙口を前面に有して操作部を有する矩形形状のポータブルプリンタを収納するキャリーケースであって、
前記ポータブルプリンタの正面と両側面と背面とをそれぞれ覆うシート状の正面部材と一対の側面部材と背面部材とが連結された有底形状を有し、上面に前記ポータブルプリンタを出し入れするための収納用開口を有し、前記収納用開口の上縁が前記ポータブルプリンタの高さと一致しているケース本体と、
前記正面部材の上部を延出させて形成され、前記収納用開口を覆って前記背面部材の上方領域に達する長さのケース蓋と、
前記ケース蓋に形成され、前記ケース本体に収納された前記ポータブルプリンタの操作部を外部から透視可能とする柔軟性及び透光性を有するシート状の透過窓と、
前記一対の側面部材の上縁にそれぞれ設けられ、前記収納用開口に延出する一対の内フラップと、
前記ケース蓋の両側縁にそれぞれ設けられ、前記ケース蓋が閉じられた状態で前記側面部材をその奥行き全長に渡り覆う外フラップと、
前記正面部材に形成され、前記ケース本体に収納された前記ポータブルプリンタの排紙口を露出可能とする排紙用開口と、
前記正面部材に取り付けられ、前記排紙用開口をその下方の位置を支点として開閉自在に覆う排紙用開口蓋と、
前記正面部材に取り付けられ、前記排紙用開口蓋の上縁部分をその上方の位置を支点として開閉自在に覆う正面フラップと、
前記ケース蓋の先端側裏面と前記背面部材の表面とにそれらの全幅に渡り設けられ、両者を着脱自在に接着する第１の面ファスナ対と、
前記内フラップの表面と前記ケース蓋の裏面とに前記内フラップの全長に渡り設けられ、両者を着脱自在に接着する第２の面ファスナ対と、
前記排紙用開口蓋の裏面と前記正面部材の表面とに前記排紙用開口を取り囲む形状で設けられ、両者を着脱自在に接着する第３の面ファスナ対と、
前記排紙用開口蓋の表面と前記正面フラップの裏面とにそれらの全幅に渡り設けられ、両者を着脱自在に接着する第４の面ファスナ対と、
を備えることを特徴とするポータブルプリンタのキャリーケース。
【請求項２】
前記ケース本体は柔軟性を有し、
前記正面部材と前記一対の側面部材と前記背面部材とは、それぞれの側縁を外縫いで縫製して連結されている、
ことを特徴とする請求項１記載のポータブルプリンタのキャリームース。
【請求項３】
前記排紙用開口蓋は、前記正面部材の下縁まで支点としており、
前記ケース本体の底面には、前記第４の面ファスナ対のうち前記排紙用開口蓋の表面に設けられている側に着脱自在に接着する第５の面ファスナが設けられている、
ことを特徴とする請求項１又は２記載のポータブルプリンタのキャリーケース。
【発明の詳細な説明】
【技術分野】
【０００１】
本発明は、ポータブルプリンタを収納して持ち運ぶのに適したポータブルプリンタ用キャリーケースに関する。
【背景技術】
【０００２】
従来、情報通信技術の飛躍的な発展によって各種情報処理機器のダウンサイジングが実現している。その一例として、小型で携帯が可能なポータブルプリンタが各種の分野で用いられている。普及分野としては、配送、流通の分野が代表的である。このようなポータブルプリンタは、一例として、前面に設けられた蓋を開けることでロール紙のセットが可能であり、一面に設けられた操作部からの操作に応じてセットしたロール紙に印字データに基づく印字を行なうことができるようになっている。印字する印字データは、例えば、赤外線通信等の手法でポータブルプリンタに送信され、ポータブルプリンタにおいて蓄えられる。使用に際しては、一例として、ポータブルプリンタに印字データを送信して予め蓄えさせておき、その状態でポータブルプリンタを外部に持ち出し、ポータブルプリンタにて蓄えた印字データに基づいて伝票やラベル等の印字発行を行なう。
【０００３】
このようなポータブルプリンタは、本来的に、携帯して持ち運ぶことを前提としている。そこで、従来、ポータブルプリンタを携帯しての持ち運びが便利なように、ポータブルプリンタのキャリーケースが提案されている（特許文献１）。
【０００４】
特許文献１に記載されたキャリーケースは、上面に形成された開口部からポータブルプリンタをすっぽり収納し、開口部をケース蓋で開閉自在に覆うようにしている。ケース蓋は、ポータブルプリンタの正面を覆う部材の上部を、開口部を覆ってポータブルプリンタの背面を覆う部材の上方領域に達するまで延出させて形成されている。また、ポータブルプリンタの正面を覆う部材には、ポータブルプリンタの排紙口に連通する排紙用開口が形成されている（段落００３５）。
【先行技術文献】
【特許文献】
【０００５】
【特許文献１】特開２００７−２１０２８０公報
【発明の概要】
【発明が解決しようとする課題】
【０００６】
ポータブルプリンタは、本来的に屋外で使用される。このため、ある程度高い防塵及び防水性能が求められる。そこで、本発明の発明者は、一例として、防塵及び防水の高さを示すＩＰ５４（International Protection５４）程度の等級を想定し、これを満たすポータブルプリンタ用キャリーケースの開発に着手した。ＩＰ５４の「５」は防塵性規格等級の値であり、「４」は防水性規格等級の値である。防塵性規格等級値の「５」は、塵埃の侵入を完全に妨げないが、機器の適切な動作及び安全性を阻害する量の塵埃が入らないことを意味している。防水性規格等級値の「４」は、水の飛沫（あらゆる方向からの噴霧）が機器に有害な影響を及ぼさないことを意味している。
【０００７】
ところが、従来のポータブルプリンタ用キャリーケース、例えば上記特許文献１に記載されているようなキャリーケースでは、求める防塵及び防水性能の一例ではあるが、ＩＰ５４を満足するものが見当たらない。このようなことから、本発明の発明者は、防塵性及び防水性という観点からポータブルプリンタ用キャリーケースの開発に鋭意努力を重ねた。そして、その過程で、例えばバッテリの交換やロール紙の補給の必要性から、頻繁にポータブルプリンタを出し入れしなければならないポータブルプリンタ用キャリーケースには、その出し入れ作業が容易であることの重要性にも思い至った。
【０００８】
本発明は、このような点に鑑みなされたもので、高い防塵及び防水性を有しながら、ポータブルプリンタの出し入れ作業が容易であるキャリーケースを得ることを目的とする。
【課題を解決するための手段】
【０００９】
本発明は、排紙口を前面に有して操作部を有する矩形形状のポータブルプリンタを収納するキャリーケースであって、前記ポータブルプリンタの正面と両側面と背面とをそれぞれ覆うシート状の正面部材と一対の側面部材と背面部材とが連結された有底形状を有し、上面に前記ポータブルプリンタを出し入れするための収納用開口を有し、前記収納用開口の上縁が前記ポータブルプリンタの高さと一致しているケース本体と、前記正面部材の上部を延出させて形成され、前記収納用開口を覆って前記背面部材の上方領域に達する長さのケース蓋と、前記ケース蓋に形成され、前記ケース本体に収納された前記ポータブルプリンタの操作部を外部から透視可能とする柔軟性及び透光性を有するシート状の透過窓と、前記一対の側面部材の上縁にそれぞれ設けられ、前記収納用開口に延出する一対の内フラップと、前記ケース蓋の両側縁にそれぞれ設けられ、前記ケース蓋が閉じられた状態で前記側面部材をその奥行き全長に渡り覆う外フラップと、前記正面部材に形成され、前記ケース本体に収納された前記ポータブルプリンタの排紙口を露出可能とする排紙用開口と、前記正面部材に取り付けられ、前記排紙用開口をその下方の位置を支点として開閉自在に覆う排紙用開口蓋と、前記正面部材に取り付けられ、前記排紙用開口蓋の上縁部分をその上方の位置を支点として開閉自在に覆う正面フラップと、前記ケース蓋の先端側裏面と前記背面部材の表面とにそれらの全幅に渡り設けられ、両者を着脱自在に接着する第１の面ファスナ対と、前記内フラップの表面と前記ケース蓋の裏面とに前記内フラップの全長に渡り設けられ、両者を着脱自在に接着する第２の面ファスナ対と、前記排紙用開口蓋の裏面と前記正面部材の表面とに前記排紙用開口を取り囲む形状で設けられ、両者を着脱自在に接着する第３の面ファスナ対と、前記排紙用開口蓋の表面と前記正面フラップの裏面とにそれらの全幅に渡り設けられ、両者を着脱自在に接着する第４の面ファスナ対と、を備える。
【発明の効果】
【００１０】
本発明によれば、ケース蓋の先端側裏面と背面部材の表面とを第１の面ファスナ対によってシールでき、内フラップの表面とケース蓋の裏面とを第２の面ファスナ対によってシールできることに加えてその部分を外フラップで覆うことができ、これにより、収納用開口に対する塵埃や水の浸入を防止することができる。また、排紙用開口蓋の裏面と正面部材の表面とを排紙用開口を取り囲む形状で設けられた第３の面ファスナ対によってシールできることに加えて排紙用開口蓋の表面と正面フラップの裏面とを第４の面ファスナ対でシールすることができ、これにより、排紙用開口に対する塵埃や水の浸入を防止することができる。しかも、ケース本体にポータブルプリンタを収納した状態では、内フラップがポータブルプリンタの上面に位置決めされてその状態でケース蓋を閉じるという一動作によって容易にケース蓋を閉じてポータブルプリンタを収納状態にすることができ、また、ケース蓋の先端を掴んでケース蓋を開くという一動作によって容易にケース蓋を開いてポータブルプリンタを取り出し得る状態にすることができ、したがって、ポータブルプリンタの出し入れ作業を容易にすることができる。
【図面の簡単な説明】
【００１１】
【図１】本発明の実施の一形態であるポータブルプリンタ用キャリーケースに収納されるポータブルプリンタの一例を示す斜視図である。
【図２】ポータブルプリンタ用キャリーケースを正面側から見た斜視図である。
【図３】ポータブルプリンタ用キャリーケースを背面側から見た斜視図である。
【図４】ケース蓋を開いた状態のポータブルプリンタ用キャリーケースを背面側から見た斜視図である。
【図５】排紙用開口蓋を開いて排紙用開口を露出させた状態を示すポータブルプリンタ用キャリーケースを正面側から見た斜視図である。
【図６】排紙用開口蓋を開いた状態のポータブルプリンタ用キャリーケースを底面側から見た斜視図である。
【図７】ケース本体を上方から見た場合の正面部材と一対の側面部材と背面部材との形状傾向とケース蓋（一点差線で示す）との配置関係を例示する模式図である。
【発明を実施するための形態】
【００１２】
本発明の実施の一形態を図１ないし図７に基づいて説明する。
【００１３】
図１は、ポータブルプリンタ用キャリーケースであるキャリーケース１０１（図２〜図７参照）に収納されるポータブルプリンタ１１の一例を示す斜視図である。ポータブルプリンタ１１は、矩形形状を基本姿態としており、四隅にプロテクタ１２を有している。プロテクタ１２は、衝撃からポータブルプリンタ１１を保護する。このようなポータブルプリンタ１１は、面積が比較的広い正面１１ａに排紙口１３を有し、面積が比較的狭い上面１１ｂに操作部１４を有している。操作部１４は、電源ボタン等の各種のボタン１４ａと液晶による表示部１４ｂとを有している。
【００１４】
ここで、ポータブルプリンタ１１については、その正面１１ａ及び上面１１ｂの他、側面を符号１１ｃで、背面を符号１１ｄで、底面を符号１１ｅでそれぞれ示すものとする。
【００１５】
図２は、キャリーケース１０１を正面側から見た斜視図である。キャリーケース１０１は、ケース本体１０２を基本として構成されている。ケース本体１０２は、ポータブルプリンタ１１の正面１１ａを覆う正面部材１０２ａと、両側面１１ｃを覆う側面部材１０２ｃと、背面１１ｄを覆う背面部材１０２ｄ（図３、図４、図６参照）とがそれぞれ連結された有底形状を有している。これらの正面部材１０２ａ、側面部材１０２ｃ、及び背面部材１０２ｄは、柔軟性を有するシート状の部材であり、例えば、ビニール、合成繊維、人工皮革等の素材から形成されている。この場合、一枚のシート状部材によって正面部材１０２ａ等を形成しても良く、複数枚のシート状部材を積層して正面部材１０２ａ等を形成しても良い。また、複数枚のシート状部材を積層する場合には、個々のシート状部材の間にゴムやフェルト等の柔軟性に優れる部材を介在させるようにしても良い。もっとも、いずれの素材を用いるにせよ、あるいはいずれの構造を採用するにせよ、ケース本体１０２を形成する各部は防水性を有している必要がある。素材の種類によって本来的に防水性がある場合がある反面、素材そのものには防水性がない場合もある。このような防水性がない素材を用いてケース本体１０２を形成する場合には、別途防水加工等を施す必要がある。
【００１６】
ここで、ケース本体１０２は、一例として、正面部材１０２ａと側面部材１０２ｃと背面部材１０２ｄとのそれぞれの側縁１０２ａｅ、１０２ｃｅ、１０２ｄｅを外縫い方式の縫製によって縫い止めることで形成されている。そして、ケース本体１０２の底部は、側面部材１０２ｃと一体に形成された底面部材１０２ｅであり、この底面部材１０２ｅの下縁１０２ｅｅも、正面部材１０２ａ及び背面部材１０２ｄの下縁に外縫い方式の縫製によって縫い止められている。
【００１７】
ケース本体１０２は、正面部材１０２ａと側面部材１０２ｃと背面部材１０２ｄと底面部材１０２ｅとが縫製によって縫い止められることで、上面に開口部分を形成する。この開口部分は、ポータブルプリンタ１１を出し入れするための収納用開口１０３となる（図４参照）。ケース本体１０２は、正面部材１０２ａと側面部材１０２ｃと背面部材１０２ｄと底面部材１０２ｅとによって形成される収納用開口１０３に連絡する内部空間として、ポータブルプリンタ１１が僅かな隙間をもって出し入れされるような寸法及び空間の内部空間を形成することが望ましい。その空間がポータブルプリンタ１１に対して窮屈に過ぎるとポータブルプリンタ１１の出し入れに支障が生ずるし、反対に、その空間がポータブルプリンタ１１に対して緩やか過ぎるとポータブルプリンタ１１の十分な保持ができなくなるからである。この場合、特に重要なことは、ケース本体１０２の深さである。ケース本体１０２では、収納用開口１０３の上縁がポータブルプリンタ１１の高さと一致していなければならない。その理由については後述する。
【００１８】
図２に示すように、ケース本体１０２を形成する正面部材１０２ａは、その上部が延出し、収納用開口１０３を覆って背面部材１０２ｄの上方領域にまで達している（図３、図７参照）。このような正面部材１０２ａの延出部分は、収納用開口１０３を開閉するためのケース蓋１０４を形成する。そして、ケース蓋１０４には、透過窓１０５が形成されている。透過窓１０５は、ケース蓋１０４を閉めた状態であってもケース本体１０２に収納されたポータブルプリンタ１１の操作部１４を外部から視認可能とし、かつ、ボタン１４ａを操作可能とするために設けられている。したがって、透過窓１０５は、ケース本体１０２に収納されたポータブルプリンタ１１の操作部１４の位置に合わせて形成されている。このような透過窓１０５は、ケース蓋１０４に形成された窓孔１０５ａに透光性を有するシート状の樹脂フィルム１０５ｂを固定することで形成することができる。樹脂フィルム１０５ｂの固定は、縫製によってなされている（図４参照）。
【００１９】
図２中、１０６は排紙用開口蓋、１０７は正面フラップである。排紙用開口蓋１０６は、収納するポータブルプリンタ１１から用紙（図示せず）を排紙させるに際して開く構造のものであり、その際、正面フラップ１０７も開くようになっている。このような排紙用開口蓋１０６及び正面フラップ１０７の詳細については、図５に基づいて後述する。
【００２０】
図２中、側面部材１０２ｃに設けられているのは、ショルダーストラップ（図示せず）を着脱自在に固定するためのストラップフック１０８である。このストラップフック１０８は、両方の側面部材１０２ｃにそれぞれ一つずつ設けられている。
【００２１】
図３は、キャリーケース１０１を背面側から見た斜視図である。図３を参照することで、ケース蓋１０４を形成する正面部材１０２ａが背面部材１０２ｄの上方領域まで延出していることが良く分かる。また、図３に示すように、ケース本体１０２を形成する背面部材１０２ｄには、ベルト通し１０９が取り付けられている。このベルト通し１０９は、キャリーケース１０１に収納してポータブルプリンタ１１を携帯する作業者がそのベルト（図示せず）を通し、腰にキャリーケース１０１を固定するために用いられる。
【００２２】
図４は、ケース蓋１０４を開いた状態のキャリーケース１０１を背面側から見た斜視図である。図４に示すように、一対の側面部材１０２ｃにはそれぞれ、その上縁に一対の内フラップ１１０が取り付けられている。これらの内フラップ１１０は、収納用開口１０３に延出しており、略水平状態の姿勢を維持するように側面部材１０２ｃの上縁部に縫製されて縫い止められている。また、ケース蓋１０４の両側縁にはそれぞれ、一対の外フラップ１１１が取り付けられている。これらの外フラップ１１１は、ケース蓋１０４が閉じられた状態で側面部材１０２ｃをその奥行き全長に渡り覆うように、ケース蓋１０４が閉じられた状態で略垂直状態の姿勢を維持するようにケース蓋１０４の両側縁に縫製されて縫い止められている（図２、図３、図５、図６参照）。
【００２３】
ここで、ケース蓋１０４の先端側裏面と背面部材１０２ｄの表面とには、互いに着脱自在に接着する第１の面ファスナ対１１２が縫製されて縫い付けられている。「面ファスナ（hook-and-loop fastener）」は、二つのものを着脱自在に貼り付けて接着するもので、代表的な一例としては、一方をフック状に起毛させてもう一方をループ状に起毛させた二部材によって形成されている。このような面ファスナは、フック状に起毛した側とループ状に起毛した側とを押し付け合うと両者が張り付いて接着され、離反方向に力を加えると離反する。もっとも、面ファスナとしては、一方をフック状に起毛させてもう一方をループ状に起毛させた二部材によって形成されたものに限らず、着脱自在に接着させようとする面のいずれにもフック状起毛とループ状起毛とを持たせもの、フック面とループ面とに区別がないもの等、各種の構造のもがある。このような面ファスナ対を用いて形成されている第１の面ファスナ対１１２は、ケース蓋１０４と背面部材１０２ｄとの全幅に渡り設けられている。
【００２４】
また、内フラップ１１０の表面とケース蓋１０４の裏面とには、互いに着脱自在に接着する第２の面ファスナ対１１３が縫製されて縫い付けられている。この第２の面ファスナ対１１３は、内フラップ１１０の全長に渡り設けられている。
【００２５】
図５は、排紙用開口蓋１０６を開いて排紙用開口１１４を露出させた状態を示すキャリーケース１０１を正面側から見た斜視図である。図５に示すように、ケース本体１０２を形成する正面部材１０２ａには、排紙用開口１１４が形成されている。排紙用開口１１４は、ケース本体１０２に収納されたポータブルプリンタ１１の排紙口１３の位置に合わせて配置され、排紙口１３から用紙（図示せず）を排出させるために設けられている。したがって、排紙用開口１１４は、ケース本体１０２に収納されたポータブルプリンタ１１の排紙口１３を露出可能としている。
【００２６】
前述した排紙用開口蓋１０６は、その排紙用開口１１４を開閉自在に覆う構造のものである。より詳細な構造として、排紙用開口蓋１０６は、正面部材１０２ａに縫製されて縫い止められ、排紙用開口１１４をその下方の位置である正面部材１０２ａの下縁を支点として開閉自在に覆っている。そして、前述した正面フラップ１０７は、正面部材１０２ａに取り付けられ、排紙用開口蓋１０６の上縁部分をその上方の位置を支点として開閉自在に覆っている。
【００２７】
ここで、排紙用開口蓋１０６の裏面と正面部材１０２ａの表面とには、互いに着脱自在に接着する第３の面ファスナ対１１５が縫製されて縫い付けられている。この第３の面ファスナ対１１５は、排紙用開口蓋１０６においては、その支点となる下方位置から排紙用開口蓋１０６の縁部に沿って配置され、正面部材１０２ａにおいては、排紙用開口１１４を取り囲む形状で設けられている。
【００２８】
また、排紙用開口蓋１０６の表面と正面フラップ１０７の裏面（図６参照）とには、互いに着脱自在に接着する第４の面ファスナ対１１６が縫製されて縫い付けられている。この第４の面ファスナ対１１６は、排紙用開口蓋１０６と正面フラップ１０７との全幅に渡り設けられている。
【００２９】
図６は、排紙用開口蓋１０６を開いた状態のキャリーケース１０１を底面側から見た斜視図である。図６には、正面フラップ１０７の裏面に縫製されて縫い付けられている第４の面ファスナ対１１６のうちの一方が示されている。そして、ケース本体１０２の底面部材１０２ｅには、第４の面ファスナ対１１６のうち排紙用開口蓋１０６の表面に設けられている側に着脱自在に接着する第５の面ファスナ１１７が縫製されて縫い付けられている。
【００３０】
このような構成において、キャリーケース１０１にポータブルプリンタ１１を収納するには、ケース蓋１０４を開けて収納用開口１０３を開放した上で、一対の内フラップ１１０を起こして収納用開口１０３からポータブルプリンタ１１を収納する。ケース本体１０２にポータブルプリンタ１１が収納されたならば、一対の内フラップ１１０から手を離すことで、それらの内フラップ１１０はポータブルプリンタ１１の上部に設けられているプロテクタ１２に支持される。ケース本体１０２は、その深さをポータブルプリンタ１１の高さと一致させて形成されているからである。そこで、この状態でケース蓋１０４を閉じるだけで、第１の面ファスナ対１１２が接着され、第２の面ファスナ対１１３も接着される。こうして、ポータブルプリンタ１１をキャリーケース１０１に容易に収納させることができる。つまり、ケース本体１０２にポータブルプリンタ１１を収納した状態では、内フラップ１１０がポータブルプリンタ１１の上面であるプロテクタ１２によって位置決めされているので、その状態でケース蓋１０４を閉じるという一動作のみによって容易にケース蓋１０４を閉じてポータブルプリンタ１１を収納状態にすることができるわけである。
【００３１】
これに対して、キャリーケース１０１からのポータブルプリンタ１１の取り出しは、ケース蓋１０４の先端を掴んでケース蓋１０４を開くという一動作によって容易に行なうことができる。つまり、こうしてケース蓋１０４を開けば、後はケース本体１０２からポータブルプリンタ１１を容易に取り出すことができる。この際、作業者がキャリーケース１０１を身に付けているとすると、ケース蓋１０４は作業者から離反した方向に開くことになるので、ケース本体１０２からのポータブルプリンタ１１の取り出し作業が極めて容易となる。
【００３２】
このように、本実施の形態によれば、キャリーケース１０１に対するポータブルプリンタ１１の出し入れ作業が極めて容易である。このことは、例えばバッテリの交換やロール紙の補給の必要性から、キャリーケース１０１に対するポータブルプリンタの出し入れが頻繁に生じえることを考慮すると、本実施の形態のキャリーケース１０１が有している大きな利点となる。
【００３３】
ここで、キャリーケース１０１に収納しているポータブルプリンタ１１において印字済み用紙（図示せず）の排紙動作を行なう場合について説明する。この場合、作業者は、正面フラップ１０７を上に起こして第４の面ファスナ対１１６の接着を解除した状態で、排紙用開口蓋１０６の上方部分を掴んで下方に捲る。これにより、第３の面ファスナ対１１５の接着状態が解除され、排紙用開口１１４が露出する。この状態でポータブルプリンタ１１から用紙の排紙を行わせることができ、排紙された用紙を排紙用開口１１４から外部に排紙させることができる。
【００３４】
これでも用紙排紙は可能であるが、本実施の形態のキャリーケース１０１には、作業者への負担をより少なくするための工夫が盛り込まれている。これについて説明する。作業者は、排紙用開口蓋１０６の上方部分を掴んで下方に捲り、第３の面ファスナ対１１５の接着状態を解除した後、排紙用開口蓋１０６の表面側に設けられている第４の面ファスナ対１１６のうちの一方をケース本体１０２の底面部材１０２ｅに設けられている第５の面ファスナ１１７に接着させる。これにより、作業者が手で押さえておかずとも、排紙用開口蓋１０６を開いたままの状態に維持することができ、用紙印字発行時の作業負担をより減少させることができる。
【００３５】
次いで、防塵性及び防水性について説明する。本実施の形態のキャリーケース１０１は、収納用開口１０３及び排紙用開口１１４という二つの開口部を有している。このため、塵埃や水がケース本体１０２に入り易いのは、それらの開口部からということになる。そこで、以下、本実施の形態のキャリーケース１０１において、収納用開口１０３から何故に塵埃や水がケース本体１０２に入り難いのか、そして、排紙用開口１１４からも何故に塵埃や水がケース本体１０２に入り難いのかについて説明する。
【００３６】
まず、収納用開口１０３から塵埃や水がケース本体１０２に入り難い理由について説明する。本実施の形態のキャリーケース１０１は、正面部材１０２ａの表面とケース蓋１０４の裏面とを第１の面ファスナ対１１２の接着によってシールしている。また、内フラップ１１０の表面とケース蓋１０４の裏面とを第２の面ファスナ対１１３の接着によってシールしている。その上、そのシール部分を、外フラップ１１１で覆っている。これにより、キャリーケース１０１は、収納用開口１０３からの塵埃や水の浸入という現象に対して、強力な防塵及び防水効果を発揮する。この場合、ケース本体１０２を形成している正面部材１０２ａと一対の側面部材１０２ｃと背面部材１０２ｄとが、それらの側縁１０２ａｅ、１０２ｃｅ、１０２ｄｅを外縫い方式で縫い止めていることも、防塵及び防水効果を強力にすることに一役買っている。その理由を図７に基づいて次に説明する。
【００３７】
図７は、ケース本体１０２を上方から見た場合の正面部材１０２ａと一対の側面部材１０２ｃと背面部材１０２ｄとの形状傾向とケース蓋１０４（一点差線で示す）との配置関係を例示する模式図である。図７に示すように、正面部材１０２ａの側縁１０２ａｅと一対の側面部材１０２ｃの側縁１０２ｃｅと背面部材１０２ｄの側縁１０２ｄｅとが外縫い方式で縫製されていれば、一対の側面部材１０２ｃはケース本体１０２の内部方向に向けて反る形状傾向を持つ。このため、ケース本体１０２の収納用開口１０３がケース蓋１０４で覆われた状態において、一対の側面部材１０２ｃはケース蓋１０４との間に隙間を作り難い形状を維持することになる。これにより、防塵及び防水効果がより一層強力になる。
【００３８】
次に、排紙用開口１１４から塵埃や水がケース本体１０２に入り難い理由について説明する。図５を見ると明らかなように、排紙用開口１１４は、正面部材１０２ａに対する排紙用開口蓋１０６の下縁の縫い付けと接着された第３の面ファスナ対１１５とに取り囲まれている。これにより、排紙用開口１１４はシールされた状態となっている。その上、排紙用開口蓋１０６の上縁は正面フラップ１０７によって覆われ、この覆われた部分が第４の面ファスナ対１１６によってシールされている。したがって、排紙用開口１１４に対する強力なシール構造が採用されていることになる。その結果、キャリーケース１０１は、収納用開口１０３からの塵埃や水の浸入という現象に対して、強力な防塵及び防水効果を発揮するわけである。
【００３９】
以上説明したように、本実施の形態のキャリーケース１０１によれば、高い防塵及び防水性を有しながら、ポータブルプリンタ１１の出し入れ作業が容易であるキャリーケース１０１を得ることができる。
【符号の説明】
【００４０】
１１…ポータブルプリンタ，１３…排紙口，１４…操作部，１０２…ケース本体，１０２ａ…正面部材，１０２ｃ…側面部材，１０２ｄ…背面部材，１０３…収納用開口，１０４…ケース蓋，１０５…透過窓，１１０…内フラップ，１１１…外フラップ，１１４…排紙用開口，１０６…排紙用開口蓋，１０７…正面フラップ，１１２…第１の面ファスナ対，１１３…第２の面ファスナ対，１１５…第３の面ファスナ対，１１６…第４の面ファスナ対，１１７…第５の面ファスナ
【図１】
2010201744.tif 000003
【図２】
2010201744.tif 000004
【図３】
2010201744.tif 000005
【図４】
2010201744.tif 000006
【図５】
2010201744.tif 000007
【図６】
2010201744.tif 000008
【図７】
2010201744.tif 000009